(57)【要約】      （修正有）【課題】化粧剤による効果とローラーによる肌滑りを両立することのできるかみそり器を提供する。【解決手段】刃面と隣接して設けられたローラー４が肌と接触して回転するカミソリ器であって、ローラ４が多数の孔４３が形成された円柱状の回転体４２に回転軸４１を貫通させた構造であり、肌に化粧剤をつけた状態でローラ４を肌表面に接触させて回転させると回転体４２に形成された多数の孔４３に化粧剤が入り込んで可逆的に浸透保持される。【選択図】図３
2013063201.tif 000002
【特許請求の範囲】
【請求項１】
刃面と隣接して設けられたローラーが肌と接触して回転するカミソリ器であって、肌に塗られた化粧剤を可逆的に浸透保持する浸透保持構造を前記ローラーが備えていることを特徴とするかみそり器。
【請求項２】
前記ローラーの表面に形成された複数の孔によって前記化粧剤を浸透保持することを特徴とする請求項１記載のかみそり器。
【請求項３】
前記孔と接続された中空形状によって前記化粧剤を浸透保持することを特徴とする請求項１又は２記載のかみそり器。
【請求項４】
前記ローラーの周囲に設けられた吸湿体によって前記化粧剤を浸透保持することを特徴とする請求項１から３のいずれか一項に記載のかみそり器。
【請求項５】
前記ローラーに複数の突起物を形成し、その突起物と突起物の間の凹部に前記吸湿体を設けていることを特徴とする請求項４記載のかみそり器。
【請求項６】
前記ローラーに複数の溝を形成し、その溝に前記吸湿体を設けていることを特徴とする請求項４記載のかみそり器。
【請求項７】
前記ローラーを複数の回転体で形成し、その回転体と回転体の間の隙間に前記吸湿体を設けていることを特徴とする請求項４記載のかみそり器。
【発明の詳細な説明】
【技術分野】
【０００１】
本発明は、かみそり器に関し、特に、外刃に隣接して外刃と平行にローラーを配設している電気かみそりに関する。
【背景技術】
【０００２】
従来、外刃に隣接して外刃と平行にローラーを配設している電気かみそりが知られている（例えば、特許文献１参照）。この特許文献１に開示される電気かみそりでは、ローラーが肌に接触する先端面は、外刃から離れる方向には回転するが、外刃に接近する方向には回転しないようになっている。外刃とローラーの両方を肌に接触させてひげ剃りして、肌当りや肌滑りを快適にすることができる。
【先行技術文献】
【特許文献】
【０００３】
【特許文献１】特開２００１−３８０７１号公報
【発明の概要】
【発明が解決しようとする課題】
【０００４】
ところで、ヒゲを剃る際には、洗顔剤やシェービングフォーム等の化粧剤を肌につけると、肌が清浄されたり、ヒゲ剃りによる摩擦が低減される効果がある。しかしながら、特許文献１に開示される電気かみそりでは、化粧剤がローラーによって擦り取られ、シャーバーの刃面に補給され難くなる。そのため、化粧剤による効果が得られにくいという課題があった。
【０００５】
本発明は上記課題を解決するためになされたものであり、その目的は、化粧剤による効果とローラーによる肌滑りを両立することのできるかみそり器を提供することである。
【課題を解決するための手段】
【０００６】
本発明は、刃面と隣接して設けられたローラーが肌と接触して回転するカミソリ器であって、肌に塗られた化粧剤を可逆的に浸透保持する浸透保持構造を前記ローラーが備えている。
【０００７】
また、本発明において、前記ローラーの表面に形成された複数の孔によって前記化粧剤を浸透保持してもよい。
【０００８】
また、本発明において、前記ローラーの周囲に設けられた吸湿体によって前記化粧剤を浸透保持してもよい。
【０００９】
また、本発明において、前記ローラーに複数の突起物を形成し、その突起物と突起物の間の凹部に前記吸湿体を設けてもよい。
【００１０】
また、本発明において、前記ローラーに複数の溝を形成し、その溝に前記吸湿体を設けてもよい。
【００１１】
また、本発明において、前記ローラーを複数の回転体で形成し、その回転体と回転体の間の隙間に前記吸湿体を設けてもよい。
【発明の効果】
【００１２】
本発明によれば、肌に塗られた化粧剤を可逆的に浸透保持する浸透保持構造をローラーが備えているため、化粧剤による効果とローラーによる肌滑りを両立することのできるかみそり器を提供することが可能となる。
【図面の簡単な説明】
【００１３】
【図１】図１は、第１実施形態における電気かみそりの斜視図である。
【図２】図２は、第１実施形態におけるヘッド部の斜視図である。
【図３】図３は、第１実施形態におけるローラーを示す図であって、（Ａ）は斜視図、（Ｂ）は断面図である。
【図４】図４は、第１実施形態におけるローラーの使用状態を示す図である。
【図５】図５は、第２実施形態におけるローラーを示す図であって、（Ａ）は斜視図、（Ｂ）は断面図である。
【図６】図６は、第３実施形態におけるローラーを示す図であって、（Ａ）は斜視図、（Ｂ）は断面図である。
【図７】図７は、第４実施形態におけるローラーを示す図であって、（Ａ）は斜視図、（Ｂ）は断面図である。
【図８】図８は、第５実施形態におけるローラーを示す図であって、（Ａ）は斜視図、（Ｂ）は断面図である。
【図９】図９は、第５実施形態における別のローラーを示す図であって、（Ａ）は縦方向に溝が形成されている場合の斜視図、（Ｂ）はらせん状に溝が形成されている場合の斜視図である。
【図１０】図１０は、第６実施形態におけるローラーを示す図であって、（Ａ）は球状の回転体で構成された場合の斜視図、（Ｂ）は円柱状の回転体で構成された場合の斜視図である。
【発明を実施するための形態】
【００１４】
以下、本発明の実施形態について図面を参照して詳細に説明する。
【００１５】
（第１実施形態）
図１は、第１実施形態における電気かみそり１の斜視図である。この電気かみそり１は、図１に示すように、手で把持するグリップ部２と、グリップ部２に支持されるヘッド部３とを備えている。グリップ部２は、例えば合成樹脂製のグリップ部本体２１を備え、このグリップ部本体２１には、駆動をオン・オフさせるためのスイッチ部２２が設けられている。
【００１６】
図２は、第１実施形態におけるヘッド部３の斜視図である。この図に示すように、ヘッド部３の上方に向けて外刃３１が露出している。外刃５１の内方（外刃５１の下側）には、図示しない内刃３２が配設されている。内刃３２を外刃５１に対して相対移動させることで、外刃５１の刃穴内に挿入されたヒゲを外刃５１と内刃５４とで協働して切断するようになっている。このようにヒゲを切断する構造は一般的な電気かみそりと同様である。
【００１７】
また、図２に示すように、外刃３１と隣接して２本のローラー４が外刃３１と平行に設けられている。ヒゲ剃り時に外刃３１を肌表面に押し付けると、ローラー４も肌表面に押し付けられる。この状態で肌表面に沿ってヘッド部３を移動させると、ローラー４が肌表面と接触して回転する。これにより、外刃３１の肌表面に対する摩擦力を低減することができる。
【００１８】
ところで、従来の電気かみそりによると、化粧剤がローラーによって擦り取られるため、化粧剤による効果が得られにくいという課題があった。そこで、本実施形態におけるローラー４は、肌に塗られた化粧剤を可逆的に浸透保持する浸透保持構造を備えている。以下、この浸透保持構造について、図面を用いて詳細に説明する。
【００１９】
図３は、第１実施形態におけるローラー４を示す図であって、（Ａ）は斜視図、（Ｂ）は断面図である。このローラー４は、多数の孔４３が形成された円柱状の回転体４２に回転軸４１を貫通させた構造となっている。回転体４２の材質としては、ステンレス、セラミック、樹脂などを採用することができる。回転軸４１の両端は、ヘッド部３の本体に取り付けられる。
【００２０】
肌に化粧剤をつけた状態でローラー４を肌表面に接触させて回転させると、図４に示すように、回転体４２に形成された多数の孔４３に化粧剤が入り込んで浸透保持される。ここでいう化粧剤とは、典型的には洗顔剤やシェービングフォームであるが、同様の役割りを果たすその他の物質全般を含むものとする。孔４３に入り込んだ化粧剤は、回転体４２が回転して再び孔４３が肌表面５０に接触する度、徐々に肌表面５０に放出される。元々化粧剤がついていない肌表面５０にも化粧剤が放出されるため、ローラー４が通過した肌表面５０の全体が化粧剤で覆われる。このように化粧剤で覆われた肌表面５０に外刃３１が到達すると、外刃５１の刃穴内にヒゲが挿入され、外刃５１に対して相対移動する内刃５４によってヒゲが切断される。
【００２１】
以上のように、本実施形態における電気かみそり１では、肌に塗られた化粧剤を可逆的に浸透保持する浸透保持構造をローラー４が備えている。具体的には、ローラー４の表面に形成された複数の孔４３によって化粧剤を浸透保持するようになっている。これにより、化粧剤による肌清浄効果や摩擦低減効果などとローラー４による肌滑りを両立することができる。
【００２２】
（第２実施形態）
図５は、第２実施形態におけるローラー４を示す図であって、（Ａ）は斜視図、（Ｂ）は断面図である。この図に示すように、ローラー４は中空形状４４を備え、この中空形状４４が孔４３と接続された構造となっている。肌に化粧剤をつけた状態でローラー４を肌表面に接触させて回転させると、第１実施形態と同様、回転体４２に形成された多数の孔４３に化粧剤が入り込む。さらに、この多数の孔４３を通じて中空形状４４にも化粧剤が入り込んで浸透保持される。そのため、回転体４２が回転して再び孔４３が肌表面に接触する度、中空形状４４から孔４３を通じて化粧剤が徐々に肌表面に放出されることになる。
【００２３】
以上のように、本実施形態における電気かみそり１では、孔４３と接続された中空形状４４を備え、この中空形状４４によって化粧剤を浸透保持するようになっている。これにより、孔４３だけでなくローラー４内部にも化粧剤が浸透保持されるため、より長時間にわたって肌や刃面に化粧剤を送ることができる。
【００２４】
（第３実施形態）
図６は、第３実施形態におけるローラー４を示す図であって、（Ａ）は斜視図、（Ｂ）は断面図である。この図に示すように、ローラー４の周囲には、化粧剤を吸湿するスポンジなどの吸湿体４５が設けられている。肌に化粧剤をつけた状態でローラー４を肌表面に接触させて回転させると、化粧剤が吸湿体４５に吸湿され、浸透保持される。回転体４２が回転している間は吸湿体４５が肌で押された状態となり、吸湿体４５から化粧剤が徐々に肌表面に放出されることになる。
【００２５】
以上のように、本実施形態における電気かみそり１では、ローラー４の周囲に設けられた吸湿体４５によって化粧剤を浸透保持するようになっている。これにより、化粧剤による肌清浄効果や摩擦低減効果などとローラー４による肌滑りを両立することができる。
【００２６】
（第４実施形態）
図７は、第４実施形態におけるローラー４を示す図であって、（Ａ）は斜視図、（Ｂ）は断面図である。この図に示すように、樹脂製の回転体４２に多数の樹脂製の突起物４６を形成し、その突起物４６と突起物４６の間の凹部に吸湿体４５を設けている。回転体４２や突起物４６の材質は、セラミックやステンレスなどでもよく特に限定されるものではない。肌に化粧剤をつけた状態でローラー４を肌表面に接触させて回転させると、化粧剤の一部が突起物４６と突起物４６との間を通過して外刃３１に到達する。また、ローラー４を肌に強く押し当てた場合は、吸湿体４５が肌表面に触れて、化粧剤が吸湿体４５に浸透保持される。
【００２７】
以上のように、本実施形態における電気かみそり１では、ローラー４に複数の突起物４６を形成し、その突起物４６と突起物４６の間の凹部に吸湿体４５を設けている。これにより、化粧剤の一部が突起物４６と突起物４６との間を通過するため、化粧剤がローラー４によって除去されにくくなる。また、化粧剤が吸湿体４５に浸透保持されるため、吸湿体４５から化粧剤を徐々に肌表面に放出させることが可能である。
【００２８】
（第５実施形態）
図８は、第５実施形態におけるローラー４を示す図であって、（Ａ）は斜視図、（Ｂ）は断面図である。この図に示すように、ローラー４に複数の溝４７を形成し、その溝４７に吸湿体４５を設けている。肌に化粧剤をつけた状態でローラー４を肌表面に接触させて回転させると、溝４７に設けた吸湿体４５が肌表面に触れて、化粧剤が吸湿体４５に浸透保持されるようになっている。溝４７の形状は、横方向（ローラー４の長手方向）に限定されるものではない。例えば、図９（Ａ）に示すように、縦方向に溝４７を形成してもよいし、あるいは、図９（Ｂ）に示すように、らせん状に溝４７を形成してもよい。このような溝４７であっても、溝４７に設けた吸湿体４５に化粧剤が浸透保持される点は同じである。
【００２９】
以上のように、本実施形態における電気かみそり１では、ローラー４に複数の溝４７を形成し、その溝４７に吸湿体４５を設けている。これにより、化粧剤が吸湿体４５に浸透保持されるため、吸湿体４５から化粧剤を徐々に肌表面に放出させることが可能である。
【００３０】
（第６実施形態）
図１０は、第６実施形態におけるローラー４を示す図である。図１０（Ａ）に示すように、ローラー４を複数の球体の回転体４２Ａで形成し、その回転体４２Ａと回転体４２Ａの間の隙間に吸湿体４５Ａを設けている。回転体４２の形状は球体に限定されるものではない。例えば、図１０（Ｂ）に示すように、ローラー４を複数の円柱状の回転体４２Ｂで形成し、その回転体４２Ｂと回転体４２Ｂの間の隙間に吸湿体４５Ｂを設けてもよい。肌に化粧剤をつけた状態でローラー４を肌表面に接触させて回転させると、吸湿体４５Ａ（４５Ｂ）が肌表面に触れて、化粧剤が吸湿体４５Ａ（４５Ｂ）に浸透保持されるようになっている。
【００３１】
以上のように、本実施形態における電気かみそり１では、ローラー４を複数の回転体４２で形成し、その回転体４２と回転体４２の間の隙間に吸湿体４５を設けている。これにより、化粧剤が吸湿体４５に浸透保持されるため、吸湿体４５から化粧剤を徐々に肌表面に放出させることが可能である。
【００３２】
なお、以上では好適な実施形態について説明したが、本発明は前記実施形態に限定されず、種々の変形が可能である。例えば、ここでは、２本のローラー４を備えた電気かみそり１を例示して説明したが、ローラー４の本数は特に限定されるものではない。また、中空形状４４のローラー４に突起物４６や溝４７を設けたり、中空形状４４のローラー４を複数の回転体４２で形成することもできる。もちろん、ローラー４の径や設置位置も適宜変更することができる。さらに、本発明は、電気かみそり１だけでなく、ローラー４を備えたかみそり器全般に適用することが可能である。
【符号の説明】
【００３３】
４  ローラー
４３  孔
４４  中空形状
４５  吸湿体
４６  突起物
４７  溝
【図１】
2013063201.tif 000003
【図２】
2013063201.tif 000004
【図３】
2013063201.tif 000005
【図４】
2013063201.tif 000006
【図５】
2013063201.tif 000007
【図６】
2013063201.tif 000008
【図７】
2013063201.tif 000009
【図８】
2013063201.tif 000010
【図９】
2013063201.tif 000011
【図１０】
2013063201.tif 000012